(57)【要約】【課題】本発明は、女性の乳房への装着性を良好とし、さらに抹消血流の循環が良好となるような豊胸効果の優れたものとすること。【解決手段】シリコーンゴム製であって、女性の乳房の外観をなし、下側碗状部１と上側舌状部２とからなる本体部Ａとしたこと。該本体部Ａの裏面側を平滑面ｓとして形成してなること。前記上側舌状部２は大曲面２ａとこれに連続した傾斜面２ｂとで構成され、且つ正面から見て半楕円状を成すこと。全体では正面から見て、ほぼ卵形を成していること。【選択図】      図１
2004208920.tif 000002
【特許請求の範囲】
【請求項１】
シリコーンゴム製であって、女性の乳房の外観をなし、下側碗状部と上側舌状部とからなる本体部とし、該本体部の裏面側を平滑面として形成されてなることを特徴とする豊胸用美容具。
【請求項２】
請求項１において、前記上側舌状部は大曲面とこれに連続した傾斜面とで構成され、且つ正面から見て半楕円状を成すことを特徴とする豊胸用美容具。
【請求項３】
請求項１又は２において、正面から見て下側碗状部は全周囲の約２００〜約２４０度、且つ上側舌状部を全周囲の約１６０〜約１２０度としてなることを特徴とする豊胸用美容具。
【請求項４】
請求項１，２又は３において、前記本体部内に磁気粉末片が多数混入されてなることを特徴とする豊胸用美容具。
【請求項５】
請求項１，２又は３において、前記本体部のほぼ中央箇所内に磁気粒状物が放射状に複数埋め込みされてなることを特徴とする豊胸用美容具。
【発明の詳細な説明】
【０００１】
【発明の属する技術分野】
本発明は、女性の乳房への装着性を良好とし、さらに抹消血流の循環が良好となるような豊胸効果の優れた豊胸用美容具に関する。
【０００２】
【従来の技術】
従来より、女性の豊胸用方式としては、下着の裏面に乳房形状に疑似したパットを入れた下着構造ものや、手術によって乳房内部にシリコーン樹脂を注入する外科治療豊胸構造ものが存在している。前者は強く締め付けたりして苦しかったり、跡が残る等の問題があった。後者は女性の健康を害するような問題があった。さらに、簡易な構成であって、バスト外観状をなした吸盤方式の豊胸用美容具が存在している。
【０００３】
【特許文献１】
特願平９−２９９３８８号
【０００４】
【発明が解決しようとする課題】
上記の特許文献１では、乳房を吸引するが付けていると短時間で外れてしまう欠点があった。即ち、装着性が悪い欠点があった。このため、乳房に付けていても容易に外れることなく且つ豊胸効果に優れ、締め付け感のないような豊胸用美容具が望まれていた。
【０００５】
【課題を解決するための手段】
そこで、発明者は上記課題を解決すべく鋭意，研究を重ねた結果、本発明を、シリコーンゴム製であって、女性の乳房の外観をなし、下側碗状部と上側舌状部とからなる本体部とし、該本体部の裏面側を平滑面として形成されてなる豊胸用美容具としたことにより、乳房に付けていても容易に外れることなく且つ豊胸効果に優れた豊胸用美容具を提供でき、前記課題を解決することができる。また、前述の構成において、前記上側舌状部は大曲面とこれに連続した傾斜面とで構成され、且つ正面から見て半楕円状を成す豊胸用美容具としたり、或いは、正面から見て下側碗状部は全周囲の約２００〜約２４０度、且つ上側舌状部を全周囲の約１６０〜約１２０度としてなる豊胸用美容具としたことにより、より容易に外れることがないようにできるし、さらに、前述の構成において、前記本体部内に磁気粉末片が多数混入されたり、或いは、前記本体部のほぼ中央箇所内に磁気粒状物が放射状に複数埋め込みされてなる豊胸用美容具としたことにより、磁気が作用して一層豊胸効果を向上させることができ、前記課題を解決したものである。
【０００６】
【発明の実施の形態】
以下、本発明の第１実施形態について図面に基づいて説明すると、図１（Ａ）は本発明の正面図，図１（Ｂ）は図１（Ａ）のＸ１  −Ｘ１  矢視断面図である。また、図１（Ｃ）は図１（Ａ）のＸ２  −Ｘ２  ，Ｘ３  −Ｘ３  及びＸ４  −Ｘ４  矢視断面図であり、これらは同一又はほぼ同一である。Ａはシリコーンゴム製であって、女性の乳房の外観をなした本体部である。該本体部Ａは下側碗状部１と上側舌状部２とを一体成形している。
【０００７】
前記本体部Ａは、正面からみて全周囲を３６０度として約２００〜２４０度程度の角度θ１  が前記下側碗状部１の部位であり、約１６０〜１２０度が上側舌状部２である。好ましくは、下側碗状部１が約２２０度のθ１  で、上側舌状部２が約１４０度のθ２  である。また、前記本体部Ａは、正面からみて前記下側碗状部１は半円状をなし、且つ前記上側舌状部２は半楕円状をなし、両方を合わせて、ほぼ卵形をなしている。また、前記本体部Ａの裏面（内側）は、図１（Ｂ）及び（Ｃ）に示すように、平滑面ｓとして形成されている。さらに具体的には、図１（Ｃ）の（イ）部を拡大すると、図１（Ｄ）に示すように、内側面は、鏡面とした雄金型で成形することで平滑面ｓが形成できる。該平滑面ｓによって乳房への吸着性を向上させることができる。
【０００８】
前記下側碗状部１の断面は、碗状をなし、底部に位置する箇所が乳頭箇所に当てる中央部位及びその周囲箇所の厚肉部１ａに形成され、外周にゆくにしたがって徐々に薄肉となり最外周は先鋭状薄肉部１ｂとなるように形成されている。さらに、断面として下側碗状部１の厚肉部１ａの内径は半径Ｒ１  として半円状をなしている。
【０００９】
また、前記上側舌状部２と前記下側碗状部１との連結箇所は断面的には同一であり、図１（Ａ），図２（Ａ）及び図３（Ａ）等に示すように、正面図において上側にゆくにしたがって約半分の楕円状（半楕円ともいう）に伸びている。縦断面［図１（Ａ）のＸ１  −Ｘ１  矢視断面図］における内面形状としては、前記下側碗状部１の半径Ｒ１  よりも大きな半径Ｒ２  の大曲面２ａと、これに連続した傾斜面２ｂが連続して形成されている。さらに、外周にゆくにしたがって徐々に薄肉となり最外周は先鋭状薄肉部２ｃとなるように形成されている。このような大曲面２ａ及び傾斜面２ｂなる曲面が前記下側碗状部１に近づくにしたがって前記半径Ｒ１  と同一となるように形成されている。
【００１０】
図面において、下側碗状部１と上側舌状部２とを説明したがそれぞれが独立しているものでもなく境界もないため説明が極めて難しい面もある。装着に関して実験等を繰り返した後に、前記上側舌状部２を付けることが、装着性において優れていることが判明した。これは、乳房が重力で下がることから、上側を大きく且つ大曲面２ａ及び傾斜面２ｂを形成することで、乳房表面への吸着周囲面の増大化による安定性を確保して装着性が良好となったことによる。
【００１１】
３は磁気粉末片であって、前記本体部Ａ内に、その多数が不規則的に混入されている［図２（Ａ）乃至（Ｃ）参照］。この製造法としては、シリコーンゴムなる材料の中に予め磁気粉末片３を混入しておき、その後に本体部Ａを上型下型にて成形加工するものである。前記磁気粉末片３の大きさは約０．１乃至約０．５ｍｍ程度であり、好ましくは約０．１ｍｍ程度である。また、磁束密度としては、混入した全体として約１８０乃至約２００ｍＴ（ミリテスラ）  （約１８００〜約２０００ガウス）が好適である。
【００１２】
また、前記磁気粉末片３を混入しない別の実施形態においては、磁気粒状物４が前記本体部Ａの内部、即ち、主にほぼ中央箇所（ほぼ厚肉部１ａ箇所）内に複数が規則的に埋め込みされている。この場合は、図３（Ａ）に示すように、前記本体部Ａを正面から見て、前記磁気粒状物４が複数放射状に埋め込まれるものである。同図においては、約８又は９個が設けられている。さらに、１０個以上とすることもある。前記磁気粒状物４の大きさは３ｍｍ乃至５ｍｍ程度である。磁束密度としては、１個当り８０乃至１２０ｍＴ（ミリテスラ）  （約８００〜約１２００ガウス）が好適である。
【００１３】
埋め込むための製造法としては、シリコーンゴムにて本体部Ａを成形する段階において、図４（Ａ）及び（Ｂ）に示すように、前記本体部Ａのほぼ中央箇所に対して放射状に所定間隔をおいて磁気粒状物４が入る穴部ｈを形成されるように雄金型Ｋの外表面に設けた突起ｐにて形成加工する。そして、図４（Ｄ）に示すように、本体部Ａ製造後にその穴部ｈに磁気粒状物４が装填（埋め込み）されるものである。このとき重要なことは、その穴部ｈは穴内部に膨出部が形成され、入り口は磁気粒状物４の大きさよりも小径の直径をなし、成形後に、本体部Ａを裏返して広げつつ図４（Ｃ）に示すように、磁気粒状物４を装填しやすくして行う。
【００１４】
次に、本体部Ａを女性の乳房に装着する工程及びその密着状況について説明する。まず、本体部Ａを反り返して［図５（Ａ）参照］、前記本体部Ａの下側碗状部１を通称アンダーバスト側に当て、その上側舌状部２を乳房の外形状部に当てつつ本体部Ａと乳房との間に空気が入らないようにして元の形状に戻す［図５（Ｂ）参照］。すると、図５（Ｃ）に示すように、本体部Ａは元の形状▲１▼にさらに戻ろうとする弾性が作用し、吸引状態では実際の形状▲２▼の位置で持続し、この結果、乳房の元の形状▲１▼’から吸盤作用によって豊胸形状▲２▼’に豊胸するように作用するものである。このとき、上側舌状部２の大曲面２ａとこれに連続した傾斜面２ｂが存在していることで、吸盤作用をなしたときに、大きな面として乳房の周囲を包むようになり、吸盤作用の強度を上側舌状部２で支えるような作用をなし、乳房より本体部Ａを外れにくくできる。
【００１５】
次に、磁気作用について説明する。磁気粉末片３又は磁気粒状物４によって、乳房内部の乳腺葉ａ及び脂肪組織内部の毛細血管ｂをそれぞれ刺激し、特に、毛細血管ｂの抹消血流を良好となるようにして、これによって豊胸作用をなし、豊胸ができる。なお、図中ｃは乳頭、ｄはクーパー靱帯、ｅは脂肪組織、ｆは胸筋、ｇは肋骨である。
【００１６】
【発明の効果】
請求項１の発明においては、シリコーンゴム製であって、女性の乳房の外観をなし、下側碗状部１と上側舌状部２とからなる本体部Ａとし、該本体部Ａの裏面側を平滑面ｓとして形成されてなる豊胸用美容具としたことにより、シリコーンゴム製の平滑面ｓが乳房の外表面に吸着する吸着力が増加し、より密着性が優れることになり、本発明品を乳房に付けていても、容易に外れないようにできる利点がある。
【００１７】
また、請求項２の発明においては、請求項１において、前記上側舌状部２は大曲面２ａとこれに連続した傾斜面２ｂとで構成され、且つ正面から見て半楕円状を成す豊胸用美容具としたことにより、前記上側舌状部２は大曲面２ａとこれに連続した傾斜面２ｂとが乳房の上半分の外表面に対し、大きな面として乳房の周囲を包むようになり、吸盤作用の強度を上側舌状部２で支えるような作用をなし、乳房から本体部Ａを外れにくくできる利点がある。
【００１８】
さらに、請求項３の発明においては、請求項１又は２において、正面から見て下側碗状部１は全周囲の約２００〜約２４０度、且つ上側舌状部２を全周囲の約１６０〜約１２０度としてなる豊胸用美容具としたことにより、請求項２とほぼ同様な作用をなし、乳房から本体部Ａを外れにくくできる効果がある。
【００１９】
請求項４の発明においては、請求項１，２又は３において、前記本体部Ａ内に磁気粉末片３が多数混入されてなる豊胸用美容具としたことにより、多数の磁気粉末片３の磁気作用によって、乳腺葉ａを刺激し、且つ乳房の外表面の直ぐ内側に存在する毛細血管ｂの抹消血流の循環が良好となり、豊胸効果の優れた豊胸用美容具を提供できる。
【００２０】
さらに、請求項５の発明においては、請求項１，２又は３において、前記本体部Ａのほぼ中央箇所内に磁気粒状物４が放射状に複数埋め込みされてなる豊胸用美容具としたことにより、請求項４と同様に抹消血流の循環を良好となるようにして豊胸効果の優れた豊胸用美容具を提供できる効果がある。
【図面の簡単な説明】
【図１】（Ａ）は本発明の正面図
（Ｂ）は（Ａ）のＸ１  −Ｘ１  矢視断面図
（Ｃ）は（Ａ）のＸ２  −Ｘ２  ，Ｘ３  −Ｘ３  及びＸ４  −Ｘ４  矢視断面図
（Ｄ）は（Ｃ）の（イ）箇所の拡大図
【図２】（Ａ）は本発明の別の実施形態の正面図
（Ｂ）は（Ａ）のＹ−Ｙ矢視断面図
（Ｃ）は（Ｂ）の（ロ）箇所の拡大図
【図３】（Ａ）は本発明のさらに別の実施形態の正面図
（Ｂ）は（Ａ）のＺ−Ｚ矢視断面図
【図４】（Ａ）は磁気粒状物を本体部に埋め込む工程において本体部に穴部を成形する工程の断面図
（Ｂ）は（Ａ）の一部拡大断面図
（Ｃ）は本体部を成形後に、該本体部を反らせて磁気粒状物を穴部に装着する状態の一部拡大断面図
（Ｄ）は磁気粒状物を本体部に装填を完了した一部拡大断面図
【図５】（Ａ）は本発明を乳房に装着し始めた状態図
（Ｂ）は装着途中の状態図
（Ｃ）は装着を完了し、吸盤作用をなしている状態図
【図６】（Ａ）は本発明にて乳房に磁気作用をなしている状態図
（Ｂ）は（Ａ）の（ハ）箇所の拡大図
【符号の説明】
Ａ…本体部
１…下側碗状部
２…上側舌状部
２ａ…大曲面
２ｂ…傾斜面
ｓ…平滑面
３…磁気粉末片
４…磁気粒状物
【図１】
2004208920.tif 000003
【図２】
2004208920.tif 000004
【図３】
2004208920.tif 000005
【図４】
2004208920.tif 000006
【図５】
2004208920.tif 000007
【図６】
2004208920.tif 000008